(57)【要約】【課題】傾斜面でも、重機Ｍが水平面で作業できるように構成する。【解決手段】平面視が短辺１２と長辺１１とよりなる長方形の鋼材のクサビ板１の複数によって構成する。すべてのクサビ板１において、一端の短辺１２の厚さ１３が他端の短辺１２の厚さ１３より厚く構成する。さらにクサビ板１の両長辺１１には、隣接すクサビ板１に連結可能な連結具３を設けて構成する。【選択図】図１
2014055440.tif 000002
【特許請求の範囲】
【請求項１】
平面視が短辺と長辺とよりなる長方形の鋼材のクサビ板の複数によって構成し、
すべてのクサビ板において、一端の短辺の厚さが他端の短辺の厚さより厚く構成し、
ひとつのクサビ板の両長辺には、他のクサビ板と相互に連結可能な連結具を設けて構成した、
重機の足場材。
【請求項２】
請求項１記載の重機の足場材において、
各クサビ板には表裏を貫通する穴を開口してあり、
この穴はクサビ板の長辺と平行の長い穴として構成した、
重機の足場材。
【発明の詳細な説明】
【技術分野】
【０００１】
本発明は、重機の足場材に関するものであり、特に勾配がある斜面で重機が作業をする場合に使用する足場材に関するものである。
なお本件明細書、特許請求の範囲、要約書で「重機」とは建設機械の略称であり、掘削機械、積み込み機械、運搬機械、荷役機械、杭打ち機械、穿孔機械、コンクリート機械、圧縮機械、架設機械などを対象としたものである。
【背景技術】
【０００２】
例えばクレーンなどの重機によって現場で作業をする場合には、できるだけ水平面の地盤の上で作業することが好ましい。
このようなことを目的とする技術として特許文献１，２に記載したような架台や構台が知られている。
【先行技術文献】
【特許文献】
【０００３】
【特許文献１】特開２００７−１３８５８１号公報
【特許文献２】特開平１１−２００６４４号公報
【発明の概要】
【発明が解決しようとする課題】
【０００４】
前記した従来の重機の足場材にあっては、次のような問題点がある。
＜１＞  特許文献１に記載してあるような構造は、足場全体を吊り上げて支柱を差し込んで水平を作り出す構造であり、重量の大きい材料の運搬や設置が必要である。そのために重機による作業開始までに時間を要する。
＜２＞  特許文献２、および図５に記載してあるような斜辺ａを有する板材ｂを積み上げる構造は、段差を解消するためのものであるが、形成できる傾斜面の角度は斜辺ａの傾斜で決まるから、傾斜面が一定の角度に限られる。しかし現場の地形は千差万別であるから、図５の構造では角度の相違した現場で転用することは困難である。
【課題を解決するための手段】
【０００５】
上記のような課題を解決する本発明の重機の足場材は、平面視が短辺と長辺とよりなる長方形の鋼材のクサビ板の複数によって構成し、すべてのクサビ板において、一端の短辺の厚さが他端の短辺の厚さより厚く構成し、ひとつのクサビ板の両長辺には、隣接するクサビ板と相互に連結可能な連結具を設けて構成したことを特徴とするものである。
また本発明の重機の足場材は、各クサビ板には表裏を貫通する穴を開口してあり、この穴はクサビ板の長辺と平行の長いボルト穴として構成したことを特徴とするものである。
【発明の効果】
【０００６】
本発明の重機の足場材は以上説明したようになるから次のような効果の少なくともひとつを得ることができる。
＜１＞  平面視が長方形で、断面が台形のクサビ板を複数枚準備しておけば、現場の地盤の傾斜に応じて重ねる枚数を調整して、簡単にほぼ水平面を出すことができる。
＜２＞  このように断面が台形のクサビ板を重ねることで、ゆるい傾斜の地盤から急な傾斜の地盤まで、どのような傾斜にも簡単に対応することができる。
＜３＞  クサビ板は長辺の接する側で、フックと受枠の係合で接続することができる構成であるから、小型化、軽量化することができ、現場での扱いが容易である。
【図面の簡単な説明】
【０００７】
【図１】本発明の重機の足場材の実施例の説明図。
【図２】クサビ板の連結構造の実施例の説明図。
【図３】足場材を締結する締結柱の実施例の説明図。
【図４】締結柱を使った柵の構成例の説明図。
【図５】従来の足場材の実施例の説明図。
【発明を実施するための形態】
【０００８】
以下図面を参照にしながら本発明の足場材の好適な実施の形態を詳細に説明する。
【実施例】
【０００９】
＜１＞全体の構成
本発明の足場材は、複数のクサビ板１を平面的に接続し、かつ鉛直方向に重ねることによって構成する。
【００１０】
＜２＞クサビ板
クサビ板１は、平面視が短辺と長辺１１とよりなる長方形の鋼材の板体である。
すべてのクサビ板１において、一方の短辺１２の厚さ１３が他の短辺１２の厚さ１３より厚く構成する。
したがって長手方向の断面形状は、台形となる。
クサビ板１の裏面には滑り止めのゴム板２を固定して、安定した積み重ねができるように構成する。
【００１１】
＜３＞連結具
隣接して配置するクサビ板１の間を、連結具３によって連結する。
この連結具３は、例えば一方のクサビ板１に設けたフック３１と、隣接する他方のクサビ板１に設けた受枠３２によって構成する。
【００１２】
＜４＞フック
ひとつのクサビ板１の長辺１１にはフック３１を形成する。
このフック３１は、長辺１１から外側に向けて断面Ｊ字状に突設して設ける。
このフック３１がそのような形状であるために、隣接して設置するクサビ板１の長辺１１の受枠３２と係合することが可能である。
なおフック３１は断面Ｊ字状のフック３１に限らず、後述する受枠３２と係合可能な組み合わせであれば公知の係合装置を採用することができる。
【００１３】
＜５＞受枠
他のクサビ板１の長辺１１にはフック３１の係合が可能な受枠３２を設ける。
あるいは１枚のクサビ板１の一方の長辺１１にはフック３１を、他方の長辺１１には受枠３２を設ける。
受枠３２は、前記の断面Ｊ字状のフック３１の挿入が可能な切欠きを設け、この切欠き内に、長辺１１と平行に棒体を取り付けて構成する。
この受枠３２も図の実施例の形状に限定するものではなく、前記のフック３１と係合可能な組み合わせであれば公知の係合装置を採用することができる。
【００１４】
＜６＞貫通穴
各クサビ板１には表裏を貫通する貫通穴４を開口する。
クサビ板１を鉛直方向に積み重ね、この貫通穴４にボルトを鉛直方向に挿入すると、上下のクサビ板１を一体化することができる。
クサビ板１は前記したように断面が台形であるから、その貫通穴４の位置が徐々にずれる可能性がある。
そこで貫通穴４は、長辺１１と平行に長い長穴として構成する。
この貫通穴４は、クサビ板１に一か所または複数個所に形成する。
【００１５】
＜７＞締結柱（図３）
クサビ板１を積み重ねて上下を拘束する必要がある。
そのために締結柱５を貫通穴４に上下から貫通させて拘束する。
この締結柱５は、中空の円柱である筒状ナット５１と、その筒状ナット５１にねじ込むボルト柱５２で構成する。
中空の円柱である筒状ナット５１の内面には、ボルト柱５２のネジが螺合するネジを形成してある。
筒状ナット５１の上端には、筒状ナット５１を回転させる角柱５３を備えている。
角柱５３の周囲は皿状の皿板５４を構成し、この皿板５４の外周面がクサビ板１を締め付ける加圧部材として機能させる。
ボルト柱５２の下端には、角度を変えることができる板である台座５５をピン５６で取り付ける。
この台座５５を、クサビ板１裏面の嵌合凹部に嵌合することで、ボルト柱５２の回転を拘束することができる。
【００１６】
＜８＞嵌合凹部
締結柱５のボルト柱５２の回転を拘束するために貫通穴４の裏面に台座５５を収納できる嵌合凹部を箱状に凹設する。
この嵌合凹部は、台座５５を嵌合できるが、台座５５が回転できない形状、寸法の箱状の凹部である。
【００１７】
＜９＞クサビ板の積み重ね
現場付近で単体のクサビ板１を平行に並べて、フック３１と受枠３２とを係合して一定幅のクサビ板１の結合体を構成する。
その場合にすべてのクサビ板１の厚さ１３の厚い側を一致させて並べて結合体を構成する。
結合体の幅は、その上に搭載する重機Ｍの幅によって異なる。
長辺１１方向に接続した後のクサビ板１結合体を１枚と呼ぶと、水平でない地盤の上に最下段のクサビ板１結合体の１枚を敷設する。
その上に、上段のクサビ板１結合体の１枚を重ねて敷設する。
こうして複数枚のクサビ板１の結合体を重ねて敷設して足場材を構成するが、すべてのクサビ板１結合体は、厚さ１３の厚い側を地盤の低い側に位置させて敷設する。
地盤の傾斜によって、重ねるクサビ板１結合体の枚数が異なるが、厚さ１３の厚い側を地盤の低い方に位置させることによって最上面がほぼ水平になるまで積み重ねる。
【００１８】
＜１０＞上下の拘束
敷設する前に、最下段のクサビ板１の貫通穴４の底面に形成した嵌合凹部に、締結柱５の台座５５を、回転不能の状態で嵌合し、一体のボルト柱５２を貫通穴４に立てておく。
この嵌合凹部はいわゆる「箱抜き」構造である。
そして、クサビ板１の結合体を積み重ねた後に、最上段のクサビ板１の結合体の貫通穴４から、筒状ナット５１を挿入する。
そして、ボルト柱５２に回転螺入して筒状ナット５１を徐々に押し下げてゆく。
やがて皿板５４が最上段のクサビ板１結合体の貫通穴４の縁に当たって回転が不能となるので、この状態で最下段のクサビ板１結合体と、最上段のクサビ板１結合体とを、上下方向に締め付けて一体化したことになる。
クサビ板１に開口した貫通穴４は、クサビ板１の長辺１１に平行な長穴であるから、上下のクサビ板１結合体の貫通穴４の位置が正確に一致していなくとも、締結柱５を上下方向に貫通して締結することができる。
最上段のクサビ板１の貫通穴４にも、箱抜きと称する嵌合凹部を形成して締結柱５の上端がクサビ板１の表面から突出しないように構成する。
【００１９】
＜１１＞柵の形成（図４）
締結柱５の上端に皿板を設けたのは、クサビ板１に同様の形状の凹部を形成してその中に内挿し、締結柱５の上端をクサビ板１の表面から突出させない構成を採用するためである。
しかし反対に締結柱５の上端を延長して、最上段のクサビ板１結合体の水平面から突出させることもできる。
二か所、または複数個所から突出させた締結柱５の上部を、水平材６で連結すれば柵を形成することができる。
この柵の形成によって、重機Ｍや作業員の転落防止を図ることができ、安全性を大きく向上させることができる。
【符号の説明】
【００２０】
１：クサビ板
２：ゴム板
３：連結具
４：貫通穴
５：締結具
６：水平材
Ｍ：重機
【図１】
2014055440.tif 000003
【図２】
2014055440.tif 000004
【図３】
2014055440.tif 000005
【図４】
2014055440.tif 000006
【図５】
2014055440.tif 000007